(57)【要約】【課題】配置する人員を最小限に抑えることで運営コストを削減でき、撮影業務を効率よく行うことができ、画像の登録を正確に行うことができる車輌撮影システムを提供する。【解決手段】オークションに出品する車輌の撮影を行う車輌撮影システムであって、車輌の第１画像を撮影する携帯端末と、車輌の第２画像を撮影するカメラと、携帯端末及びカメラと通信可能に接続され、第１画像と第２画像を関連付けて格納する撮影端末とを備え、携帯端末は、第１画像と、第２画像の撮影指示とを撮影端末に送信し、撮影端末は、撮影指示に基づいてカメラに第２画像を撮影させ、第１画像と撮影された第２画像とを関連付けて格納する。【選択図】図３
2017058956.tif 000002
【特許請求の範囲】
【請求項１】
オークションに出品する車輌の撮影を行う車輌撮影システムであって、
前記車輌の第１画像を撮影する携帯端末と、
前記車輌の第２画像を撮影するカメラと、
前記携帯端末及び前記カメラと通信可能に接続され、前記第１画像と前記第２画像を関連付けて格納する撮影端末とを備え、
前記携帯端末は、前記第１画像と、前記第２画像の撮影指示とを前記撮影端末に送信し、
前記撮影端末は、前記撮影指示に基づいて前記カメラに前記第２画像を撮影させ、前記第１画像と撮影された前記第２画像とを関連付けて格納することを特徴とする車輌撮影システム。
【請求項２】
前記携帯端末は、前記撮影指示と同時に前記第１画像を前記撮影端末へ送信することを特徴とする請求項１に記載の車輌撮影システム。
【請求項３】
前記携帯端末は、前記車輌の出品番号を前記撮影指示に含めて前記撮影端末へ送信することを特徴とする請求項１又は２に記載の車輌撮影システム。
【請求項４】
前記携帯端末は、前記出品番号の採番状況を示す採番状況情報の取得依頼を前記撮影端末へ送信し、取得した前記採番状況情報に基づいて、前記出品番号の採番画面を表示し、出品番号の採番を受け付けることを特徴とする請求項３に記載の車輌撮影システム。
【請求項５】
前記第１画像は前記車輌の内装画像であり、前記第２画像は前記車輌の外装画像であることを特徴とする請求項１から４のいずれか１つに記載の車輌撮影システム。
【請求項６】
相互に通信可能な携帯端末とカメラと撮影端末によってオークションに出品する車輌の撮影を行う車輌撮影方法であって、
前記車輌の第１画像を前記携帯端末が撮影するステップと、
前記第１画像と、同一の前記車輌の第２画像の撮影指示とを前記携帯端末が前記撮影端末に送信するステップと、
前記撮影指示に基づいて、前記撮影端末が前記カメラに前記第２画像を撮影させるステップと、
前記第１画像と撮影された前記第２画像とを関連付けて前記撮影端末が格納するステップとを、
有することを特徴とする車輌撮影方法。
【請求項７】
前記第１画像は、前記撮影指示と同時に前記撮影端末へ送信されることを特徴とする請求項６に記載の車輌撮影方法。
【請求項８】
前記車輌の出品番号を前記携帯端末が前記撮影指示に含めるステップを更に有することを特徴とする請求項６又は７に記載の車輌撮影方法。
【請求項９】
前記出品番号の採番状況を示す採番状況情報の取得依頼を前記携帯端末が前記撮影端末へ送信するステップと、
取得した前記採番状況情報に基づいて、前記携帯端末が前記出品番号の採番画面を表示するステップと、
前記携帯端末が前記出品番号の採番を受け付けるステップとを、
更に有することを特徴とする請求項８に記載の車輌撮影方法。
【請求項１０】
前記第１画像は前記車輌の内装画像であり、前記第２画像は前記車輌の外装画像であることを特徴とする請求項６から９のいずれか１つに記載の車輌撮影方法。
【発明の詳細な説明】
【技術分野】
【０００１】
本発明は、オークション会場における車輌撮影システムに関する。
【背景技術】
【０００２】
従来から、オークション（せり）を自動で行うオークションシステムがあり、主なものとして中古車のオークションシステムがある。中古車オークションシステムの一例が下記の特許文献１に開示されている。開示された中古車オークションシステムは、各オークション会場に構築されたシステムと、センターに設置されたオークションの進行を制御するサーバとから構成され、ネットワークを介して互いに接続され、会場間で相互に応札を可能とさせるものである。
【０００３】
中古車オークションシステムでは、オークションに出品する車輌を事前に撮影し、登録する必要がある。そのため、車輌を撮影する車輌撮影システムが導入されている。従来の車輌撮影システムは、以下のような運用となっている。
【０００４】
まず、車輌の外装を撮影する撮影室に車輌を搬入する前に、内装を撮影する内装撮影者が無線ＬＡＮに接続可能なカメラで内装を撮影し、撮影された内装画像を撮影室に設置された撮影ＰＣへ転送する。その後、撮影室の撮影レーンに車輌を搬入する。次に、撮影室内で待機する外装を撮影する外装撮影者が、車輌が所定位置に配置されたことをモニタで確認した上で、撮影ＰＣを用いて外装を撮影するＷＥＢカメラ（固定カメラ）で外装の撮影を行う。外装撮影者は、転送された内装画像が当該車輌のものであることを確認するとともに、撮影された画像のトリミング調整を行い、内装画像と外装画像を関連付けて撮影ＰＣなどに登録する。
【先行技術文献】
【特許文献】
【０００５】
【特許文献１】特開２０１２−２１２２６４号公報
【発明の概要】
【発明が解決しようとする課題】
【０００６】
しかし、従来の車輌撮影システムでは、外装撮影者が撮影室内に常駐する必要があり、また、内装撮影者が多くの車輌の内装撮影を専任で行っているため、撮影レーンへの搬入前に内装撮影待ちが発生することがあった。また、従来の車輌撮影システムでは、外装撮影者が、内装撮影者から転送された内装画像と外装画像を関連付けて登録（格納）するため、内装画像が別車輌のものであっても気づかずに関連付けて登録してしまうことがあった。また、従来の車輌撮影システムでは、トリミング調整は車輌１台１台行っているため、トリミング調整が完了しないと、次の車輌の撮影に進むことができず、車輌の撮影が停滞してしまうということがあった。
【０００７】
本発明は、上記課題に鑑み、配置する人員を最小限に抑えることで運営コストを削減でき、撮影業務を効率よく行うことができ、画像の登録を正確に行うことができる車輌撮影システムを提供することを目的とする。
【課題を解決するための手段】
【０００８】
上記目的を達成するために、本発明は、オークションに出品する車輌の撮影を行う車輌撮影システムであって、前記車輌の第１画像を撮影する携帯端末と、前記車輌の第２画像を撮影するカメラと、前記携帯端末及び前記カメラと通信可能に接続され、前記第１画像と前記第２画像を関連付けて格納する撮影端末とを備え、前記携帯端末は、前記第１画像と、前記第２画像の撮影指示とを前記撮影端末に送信し、前記撮影端末は、前記撮影指示に基づいて前記カメラに前記第２画像を撮影させ、前記第１画像と撮影された前記第２画像とを関連付けて格納することを特徴とする。
【０００９】
また、本発明の車輌撮影システムにおいて、前記携帯端末が、前記撮影指示と同時に前記第１画像を前記撮影端末へ送信することは、好ましい態様である。
【００１０】
また、本発明の車輌撮影システムにおいて、前記携帯端末が、前記車輌の出品番号を前記撮影指示に含めて前記撮影端末へ送信することは、好ましい態様である。
【００１１】
また、本発明の車輌撮影システムにおいて、前記携帯端末が、前記出品番号の採番状況を示す採番状況情報の取得依頼を前記撮影端末へ送信し、取得した前記採番状況情報に基づいて、前記出品番号の採番画面を表示し、出品番号の採番を受け付けることは、好ましい態様である。
【００１２】
また、本発明の車輌撮影システムにおいて、前記第１画像が前記車輌の内装画像であり、前記第２画像が前記車輌の外装画像であることは、好ましい態様である。
【００１３】
また、本発明は、相互に通信可能な携帯端末とカメラと撮影端末によってオークションに出品する車輌の撮影を行う車輌撮影方法であって、前記車輌の第１画像を前記携帯端末が撮影するステップと、前記第１画像と、同一の前記車輌の第２画像の撮影指示とを前記携帯端末が前記撮影端末に送信するステップと、前記撮影指示に基づいて、前記撮影端末が前記カメラに前記第２画像を撮影させるステップと、前記第１画像と撮影された前記第２画像とを関連付けて前記撮影端末が格納するステップとを有することを特徴とする。
【００１４】
また、本発明の車輌撮影方法において、前記第１画像が、前記撮影指示と同時に前記撮影端末へ送信されることは、好ましい態様である。
【００１５】
また、本発明の車輌撮影方法において、前記車輌の出品番号を前記携帯端末が前記撮影指示に含めるステップを更に有することは、好ましい態様である。
【００１６】
また、本発明の車輌撮影方法において、前記出品番号の採番状況を示す採番状況情報の取得依頼を前記携帯端末が前記撮影端末へ送信するステップと、取得した前記採番状況情報に基づいて、前記携帯端末が前記出品番号の採番画面を表示するステップと、前記携帯端末が前記出品番号の採番を受け付けるステップとを更に有することは、好ましい態様である。
【００１７】
また、本発明の車輌撮影方法において、前記第１画像が前記車輌の内装画像であり、前記第２画像が前記車輌の外装画像であることは、好ましい態様である。
【発明の効果】
【００１８】
本発明によれば、配置する人員を最小限に抑えることで運営コストを削減でき、撮影業務を効率よく行うことができ、画像の登録を正確に行うことができる。
【図面の簡単な説明】
【００１９】
【図１】実施の形態における中古車オークションシステムの構成の一例を示す構成図である。
【図２】実施の形態に係る車輌撮影システムの構成の一例を示す構成図である。
【図３】実施の形態における車輌撮影の運用フローの一例を示すフローチャートである。
【図４】実施の形態における第１画像撮影処理のサブルーチンを示す図である。
【図５】実施の形態における第１画像撮影画面の一例を示す図である。
【図６】実施の形態における出品番号採番処理のサブルーチンを示す図である。
【図７】実施の形態におけるコーナー別出品番号採番状況取得依頼電文、及び取得依頼電文に対する応答電文の一例を示す図である。
【図８】実施の形態における出品番号採番画面の一例を示す図である。
【図９】実施の形態における第２画像撮影指示処理のサブルーチンを示す図である。
【図１０】実施の形態における車輌の停止位置決めに用いられる外装画像の表示画面の一例を示す図である。
【図１１】実施の形態における撮影指示依頼電文の一例を示す図である。
【図１２】実施の形態における撮影指示依頼電文に対する応答電文の一例を示す図である。
【図１３】実施の形態に係る車輌撮影システムを構成する構成要素間での情報のやり取りの一例を示すシーケンス図である。
【図１４】実施の形態における採番テーブルレイアウトの一例を示す図である。
【図１５】実施の形態における撮影結果確認依頼電文及び撮影結果確認依頼電文に対する応答電文の一例を示す図である。
【図１６】実施の形態におけるトリミング処理の一例を示すフローチャートである。
【図１７】実施の形態におけるトリミング画面の一例を示す図である。
【発明を実施するための形態】
【００２０】
以下、実施の形態について図面を参照して説明する。まず、実施の形態に係る車輌撮影システムについて説明する前に、車輌撮影システムで撮影された車輌画像を含む車輌情報を利用する中古車オークションシステムの一例について図１を用いて説明する。中古車オークションシステム１は、例えば、有線ＬＡＮなどで接続されており、出品店表示端末１０と、せり調整人操作端末１１と、購買店座席端末１２（１２ａ、１２ｂ）と、せりサーバ１３とから構成されている。
【００２１】
出品店表示装置１０は、中古車（車輌とも言う）をオークションに出品する出品店会員が参照する装置であって、車輌の価格の情報や応札状況などが表示される装置である。
【００２２】
せり調整人操作端末１１は、オークションを調整する調整人が操作する端末であって、出品店会員からの調整の指示に基づいて、せりサーバ１３に対してオークションの調整指示を出したり、オークションの開始や終了（中断を含む）の指示を出したりする端末である。
【００２３】
購買店座席端末１２は、オークションに出品される車輌を購入する購買店会員が操作する端末であって、出品される車輌の車輌情報や価格を表示するものであり、１つの会場に数百台（最大数千台）が設置されることもある。購買店会員は、購買店座席端末１２に表示される車輌情報や価格を参照し、購買店座席端末１２を用いて、せりサーバ１３に対して応札電文を送信する。
【００２４】
せりサーバ１３は、オークションを進行するために必要な処理を行うものである。例えば、せりサーバ１３は、購買店座席端末１２から応札電文を受信したり、せり調整人操作端末１１から調整指示やオークションの開始や終了の指示を受信したりして、受信内容に応じた処理を行う。また、せりサーバ１３は、実施の形態に係る車輌撮影システムによって撮影された出品車輌の画像（後述する第１画像や第２画像）などを格納し、該当車輌のオークション時には、格納された該当車輌に関する情報（出品車輌の画像を含む車輌情報や価格情報）を、出品店表示装置１０、せり調整人操作端末１１、購買店座席端末１２へ送信する。
【００２５】
次に、実施の形態に係る車輌撮影システムの一例について説明する。図２は実施の形態に係る車輌撮影システムの構成の一例を示す構成図である。車輌撮影システム２は、携帯端末２０と、撮影ＰＣ（撮影端末）２１と、ウェブ（ＷＥＢ）カメラ２２と、データベース２３と、無線ＬＡＮアクセスポイント２４と、ハブ２５から構成され、携帯端末２０、撮影ＰＣ２１、ウェブカメラ２２は、相互に通信可能に接続されている。
【００２６】
携帯端末２０は、撮影レーンへ車輌を搬入する搬入者によって所持されるものである。携帯端末２０は、車輌の第１画像を撮影し、撮影した第１画像と、車輌の第２画像の撮影指示とを、無線ＬＡＮアクセスポイント２４を介して撮影ＰＣ２１へ送信するものであり、例えば、タブレット、スマートフォンなどである。すなわち、携帯端末２０は、画像の撮影ができ、画像の送信機能があり、画像の確認が可能な表示画面（モニタとも言う）があり、後述する出品番号の採番が可能であればよい。
【００２７】
なお、撮影した第１画像、及び第２画像の撮影指示の撮影ＰＣ２１への送信は、同時であっても同時でなくてもよい。同時でない場合には、撮影ＰＣ２１による第１画像と第２画像の関連付け処理までに撮影ＰＣ２１へ送信する。
【００２８】
ここで、第１画像は、車輌が撮影レーンに搬入される前に撮影される画像であって、例えば、車輌の内装画像、車輌のアピールポイント画像（タイヤのホイールの画像、オーディオシステムの画像など）、車輌の欠陥部分の画像（車体の傷、へこみ箇所の画像など）である。また、第２画像は、車輌が撮影レーンに搬入された後に撮影される画像であって、例えば、車輌の外装画像である。
【００２９】
また、携帯端末２０は、オークションへの出品に必要な出品番号を上記撮影指示に含めて、撮影ＰＣ２１へ送信する。出品番号はオークションへの出品前にあらかじめ採番する必要があり、撮影指示に含める出品番号の採番方法としては、例えば、以下の方法がある。携帯端末２０が、出品番号の採番状況を示す採番状況情報の取得依頼を撮影ＰＣ２１へ送信し、取得した採番状況情報に基づいて、出品番号の採番画面（図８参照）を表示し、出品番号の採番を携帯端末２０の使用者（搬入者）から受け付ける。携帯端末２０は、受け付けた出品番号を採番された出品番号とする。出品番号の採番処理の詳細については後述する。
【００３０】
撮影ＰＣ２１は、携帯端末２０からの撮影指示に基づいて、ウェブカメラ２２に第２画像を撮影させ、第１画像と撮影された第２画像とを関連付けてデータベース２３へ登録（格納）する。なお、データベース２３を設けずに、撮影ＰＣ２１内のハードディスクなどの内部メモリに画像を格納するようにしてもよい。
【００３１】
ウェブカメラ２２は、撮影ＰＣ２１からの撮影指示に基づいて、第２画像を撮影し、撮影した第２画像を撮影ＰＣ２１へ送信する。この例では、２台のウェブカメラ２２があり、一方が車輌の斜め前方（フロント部分）を撮影し、他方が車輌の斜め後方（リア部分）を撮影するものである。この例では、ウェブカメラ２２は２台であるが、２台に限られるものではない。また、ウェブカメラ２２は、後述するように、携帯端末２０からの画像取得依頼により、車輌の画像を連続配信する。連続配信される画像は、車輌の停止位置確認の際に用いられる。
【００３２】
ここで、実施の形態における車輌撮影の運用フローの一例について図３を用いて説明する。まず、車輌の外装を撮影する撮影レーンへ車輌を搬入する搬入者は、出品予定の車輌を待機させるヤード（駐車場）に置かれた車輌を、撮影室付近へ移動する（ステップＳ３０１）。携帯端末２０は、第１画像を撮影するための第１画像撮影処理を行う（ステップＳ３０２）。第１画像撮影処理の詳細については後述する。
【００３３】
第１画像の撮影後、搬入者は、出品車輌を撮影室の撮影レーンへ移動する（ステップＳ３０３）。携帯端末２０は、オークションへ車輌を出品する際に付される出品番号を採番するための出品番号採番処理を行う（ステップＳ３０４）。出品番号採番処理の詳細については後述する。出品番号の採番後、搬入者が所定の撮影位置まで出品車輌を移動すると、携帯端末２０は、第２画像撮影指示処理を行う（ステップＳ３０５）。第２画像撮影指示処理の詳細については後述する。
【００３４】
その後、出品車輌の第２画像の撮影完了確認、すなわち後述する図１３のステップＳ１３０４の撮影結果確認の処理が行われる（ステップＳ３０６）。そして、出品車輌が搬入者によってヤードへ移動される（ステップＳ３０７）。すべての車輌の撮影の作業が終了したか否かを判断し（ステップＳ３０８）、撮影作業がある場合（ステップＳ３０８のＮｏ）には、次の車輌の撮影が行われ、撮影作業がない場合（ステップＳ３０８のＹｅｓ）には終了する。
【００３５】
以下では、上述した第１画像撮影処理、出品番号採番処理、第２画像撮影指示処理について説明する。
【００３６】
まず、第１画像撮影処理の具体的な内容について図４を用いて説明する。図４は第１画像撮影処理のサブルーチンを示す図である。携帯端末２０は、第１画像を撮影するための第１画像撮影画面を携帯端末２０のモニタに表示する（ステップＳ４０１）。第１画像撮影画面の一例を図５に示す。図５に示す第１画像撮影画面では、４枚の第１画像（第１画像“１”〜“４”）が撮影可能となっている。第１画像“１”〜“４”には、撮影された内装画像、アピールポイント画像、欠陥部分画像などが表示される。図５に示す画面例では、“第１画像撮影”の表示枠が太枠で表示されている。これにより、表示されている画面が何を行うための画面であるかが一目でわかる。なお、後述する出品番号採番画面、第２画像撮影画面についても同様である。
【００３７】
携帯端末２０は、表示された第１画像撮影画面の第１画像“１”〜“４”の表示領域のうち、いずれかの表示領域の選択を使用者からタッチパネルなどで受け付け（ステップ４０２）、使用者の撮影指示（撮影ボタンの押下）に基づいて撮影し、撮影された画像を選択された表示領域に表示する（ステップＳ４０３）。携帯端末２０は、所定の枚数の撮影が完了したか否かを判断し（ステップＳ４０４）、完了した場合（ステップＳ４０４のＹｅｓ）には撮影を終了し、完了していない場合（ステップＳ４０４のＮｏ）には第１画像“１”〜“４”の表示領域のうち、第１画像が表示されていない表示領域のいずれかの選択を受け付ける。
【００３８】
次に、出品番号採番処理の具体的な内容について図６を用いて説明する。図６は出品番号採番処理のサブルーチンを示す図である。まず、携帯端末２０は、出品番号の採番をするため、コーナー別の出品番号の採番状況を示す採番状況情報の取得依頼電文を撮影ＰＣ２１へ送信する（ステップＳ６０１）。ここでの出品番号採番処理では、撮影ＰＣ２１側で出品番号を採番せず、携帯端末２０側で出品番号の採番を行う。撮影ＰＣ２１側では、採番対象の車輌が、後述するコーナーのいずれのコーナーに属するか不明であり、適切な出品番号の採番ができないため、携帯端末２０側で採番するようにしている。
【００３９】
携帯端末２０は、取得依頼電文に基づいて撮影ＰＣ２１から送信される、コーナー別の出品番号の採番状況を示す採番状況情報を応答電文として受信する（ステップＳ６０２）。応答電文には、最新の採番状況を踏まえた情報が含まれている。
【００４０】
上記コーナーとは、出品車輌が該当する車輌カテゴリーを示すものであって、例えば、軽四輪コーナー、ワゴン車コーナー、トラックコーナー、輸入車コーナー、事故車コーナーなどがある。
【００４１】
ここで、コーナー別出品番号採番状況の取得依頼電文及び上記取得依頼電文に対する応答電文について説明する。コーナー別出品番号採番状況の取得依頼電文は、図７に示すように、電文種別及び電文長の項目から構成され、電文種別は、電文がどのような種類の電文であるかを示すもので、電文長は、電文の長さを示すものである。
【００４２】
一方、取得依頼電文に対する応答電文は、電文種別、電文長、結果コード、コーナー数、コーナー名称、コーナー開始出品番号、コーナー終了出品番号、採番済み出品番号数、採番済み出品番号の項目から構成されている。コーナー数は、上記コーナーの数を示すものであり、この例では２０種類のコーナーがあることを示している。コーナー名称はコーナーの名称を示している。
【００４３】
コーナー開始出品番号とコーナー終了出品番号は、該当コーナーで採番可能な出品番号の範囲を示すものであり、コーナー開始出品番号は該当コーナーで採番可能な最初の出品番号を示し、コーナー終了出品番号は該当コーナーで採番可能な最後の出品番号を示している。
【００４４】
なお、この応答電文には、コーナー“１”の軽四輪コーナーに関する情報（Ｎｏ．５〜７に示される情報）のみが含まれているが、実際には、残りの１９種類のコーナーに関する情報（Ｎｏ．５〜７に示される情報）も含まれている。採番済み出品番号数は、全コーナーにおいて既に採番された出品番号の数を示し、この例では、１００個の出品番号が既に採番されている。採番済み出品番号は、全コーナーにおいて既に採番された出品番号を示し、この例では、１００１から１１００までの番号が既に採番されている。
【００４５】
携帯端末２０は、受信した応答電文に基づいて、出品番号採番画面を生成し、携帯端末２０のモニタに表示する（ステップＳ６０３）。携帯端末２０は、表示された出品番号採番画面を見た使用者による選択をタッチパネルなどで受け付け、受け付けた選択に基づいて出品番号の採番を行う（ステップＳ６０４）。
【００４６】
ここで、出品番号採番画面について説明する。図８に示す出品番号採番画面では、コーナーごとに、採番可能な出品番号の範囲が示され、実際に採番可能な最新の出品番号が表示されている。この表示により、採番可能な最新の出品番号を選択することができる。
【００４７】
次に、第２画像撮影指示処理の具体的な内容について図９を用いて説明する。図９は第２画像撮影指示処理のサブルーチンを示す図である。まず、車輌の撮影レーンでの現在位置を把握させ、車輌を所定の撮影位置に停止させることができるように、携帯端末２０は、車輌の外装画像（モニタリング用の外装画像）の取得依頼をウェブカメラ２２へ送信する（ステップＳ９０１）。携帯端末２０は、取得依頼に基づいて受信した外装画像を携帯端末２０のモニタに表示する（ステップＳ９０２）。このとき、ウェブカメラ２２からは、低解像度の外装画像が連続配信される。
【００４８】
携帯端末２０のモニタに表示される外装画像の画面例を図１０に示す。この画面例は、４つのモニタリング用の外装画像（第２画像“１”〜“４”）が表示されるよう構成されているが、ウェブカメラ２２が２台の場合には、２つのモニタリング用の外装画像が表示されるよう構成される。また、この画面例では、第１画像“１”モニタリング対象外及び第１画像“２”モニタリング対象外が表示されるが、ここに表示される画像は、該当する車輌の内装画像などである。また、この画面例では、モニタリング対象外の画像として、第１画像“１”及び第１画像“２”の２つのみが表示されているが、図５に示す第１画像“１”〜“４”のすべてを表示するようにしてもよい。また、この画面例では、第２画像の撮影指示を行うための“撮影”ボタンが表示されており、所定の撮影位置に停止されたと使用者によって判断された場合に、使用者によって押下されるものである。
【００４９】
携帯端末２０は、所定の撮影位置に停止されたとモニタを見て判断した使用者が“撮影”ボタンを押下することによって、第１画像と関連付けする第２画像の撮影指示を受け付ける（ステップＳ９０３）。携帯端末２０は、採番した出品番号及び第１画像を含む、第２画像の撮影指示依頼である撮影指示依頼電文を撮影ＰＣ２１へ送信する（ステップＳ９０４）。その後、撮影ＰＣ２１は、撮影指示依頼電文に基づいて、ウェブカメラ２２に第２画像を撮影させ、第１画像と第２画像を関連付けてデータベース２３へ格納する（ステップＳ９０５）。関連付けの処理後、携帯端末２０は、第１画像と第２画像の関連付けが成功したか否かの撮影結果を、撮影指示依頼電文に対する応答電文として撮影ＰＣ２１から受信する（ステップＳ９０６）。
【００５０】
ここで、撮影指示依頼電文及び撮影指示依頼電文に対する応答電文について説明する。図１１に示す撮影指示依頼電文は、電文種別、電文長、第１画像データ数、第１画像ファイルサイズ、第１画像実データ、出品番号の項目から構成されている。第１画像データ数は、第１画像の数を示すものであって、この例では４枚の第１画像があることを示している。第１画像ファイルサイズは、第１画像のファイルサイズを示すものであり、第１画像実データは、第１画像のデータを示すものである。なお、この撮影指示依頼電文には、第１画像“１”に関する情報（Ｎｏ．４及びＮｏ．５に示される情報）のみが含まれているが、実際には、他の第１画像“２”〜“４”に関する情報（Ｎｏ．４及びＮｏ．５に示される情報）も含まれている。
【００５１】
また、図１２に示す撮影指示依頼電文に対する応答電文は、電文種別、電文長、結果コードの項目から構成されている。結果コードは、第１画像と第２画像を関連付けた格納が成功したか否かを示すものであり、例えば成功の場合には“０”、失敗の場合には“１”となる。
【００５２】
次に、実施の形態に係る車輌撮影システムを構成する構成要素（携帯端末、撮影ＰＣ、ウェブカメラ）間での情報のやり取りの一例について図１３を用いて説明する。まず、携帯端末２０、撮影ＰＣ２１、ウェブカメラ２２は、それぞれ、車輌撮影システム２の運用開始時に手動で電源が投入される（ＯＮされる）。携帯端末２０は、上述した第１画像撮影処理を行う（ステップＳ１３０１）。すなわち、携帯端末２０は、出品車輌の第１画像（内装画像）を撮影する。撮影された内装画像は、携帯端末２０の内部メモリなどに格納される。このとき、内装画像以外に、上述した車輌のアピールポイント画像や、車輌の欠陥部分の画像などを撮影して格納するようにしてもよい。
【００５３】
その後、出品車輌が撮影室の撮影レーンに搬入されると、携帯端末２０は、上述した出品番号採番処理を行う（ステップＳ１３０２）。まず、携帯端末２０は、出品番号の採番をするため、コーナー別の出品番号の採番状況の取得処理を行う。具体的には、携帯端末２０は、コーナー別の出品番号の採番状況を示す採番状況情報の取得依頼電文をＴＣＰ（Transmission Control Protocol）で撮影ＰＣ２１へ送信する。
【００５４】
取得依頼電文を受信した撮影ＰＣ２１は、取得依頼電文に基づいて、データベース２３の採番テーブルレイアウトから情報を取得し、コーナー別の出品番号の採番状況を示す採番状況情報を含む応答電文を生成して携帯端末２０へ送信する。
【００５５】
携帯端末２０は、受信した応答電文に基づいて、上述した出品番号採番画面を生成し、出品番号採番画面を携帯端末２０のモニタに表示し、出品番号の採番を受け付ける。
【００５６】
ここで、採番テーブルレイアウトについて説明する。採番テーブルレイアウトは、図１４に示すように、コーナーマスタと採番テーブルから構成されている。コーナーマスタは、コーナー番号、コーナー名称、開始出品番号、終了出品番号の項目から構成されている。コーナー番号はコーナーごとに割り当てられた番号である。図１４では、軽四輪コーナーに関するコーナーマスタのみが示されているが、実際にはすべてのコーナーについてのコーナーマスタが存在する。また、採番テーブルは、すべてのコーナーにおいて、既に採番された出品番号を示している。図１４に示す採番テーブルでは、出品番号１００１が既に採番されていることを示している。
【００５７】
次に、携帯端末２０は、上述した第２画像撮影指示処理を行う（ステップＳ１３０３）。まず、携帯端末２０は、車輌が所定の撮影位置に停止しているか、携帯端末２０のモニタで確認させるために、モニタリング用の画像を取得する。具体的には、携帯端末２０は、ウェブカメラ２２に対して、車輌の外装画像を連続配信するよう、画像取得依頼電文をＨＴＴＰ（Hyper Text Transfer Protocol）で送信する。なお、画像取得依頼電文についてはウェブカメラ２２の製品仕様に従う（市販品の汎用ウェブカメラのインタフェースに準拠）。
【００５８】
ウェブカメラ２２は、画像取得依頼電文に基づいて、車輌の外装画像を連続的に撮影し、携帯端末２０へ連続配信する。このとき連続配信される画像は低解像度の画像である。
【００５９】
携帯端末２０は、連続配信される画像を携帯端末２０のモニタに表示する。モニタの画像を見た使用者は車輌が所定の撮影位置に停止しているか確認し、所定の撮影位置に停止していると判断すると、第２画像の撮影指示を出す。
【００６０】
携帯端末２０は、第２画像の撮影指示を受け付け、撮影ＰＣ２１へ撮影指示を行う。具体的には、採番された出品番号及び第１画像を含む撮影指示依頼電文をＨＴＴＰで撮影ＰＣ２１へ送信する。
【００６１】
撮影ＰＣ２１は、受信した撮影指示に基づいて、第２画像の撮影指示をＨＴＴＰで第２画像撮影依頼電文としてウェブカメラ２２へ送信する。ウェブカメラ２２は、第２画像の撮影指示に基づいて、第２画像を撮影し、撮影された第２画像をＨＴＴＰで撮影ＰＣ２１へ送信（配信）する。
【００６２】
撮影ＰＣ２１は、第１画像と第２画像を出品番号と関連付けて（紐付けて）、データベース２３（又は撮影ＰＣ２１の内部メモリ）の仮撮影フォルダに格納する。また、撮影ＰＣ２１は、出品番号をＴＣＰで採番テーブルへ登録する（出品番号情報の登録）。これにより、採番済みの出品番号を重複して採番されることを防ぐことができる。また、撮影ＰＣ２１は、第１画像と第２画像を関連付けた格納が成功したか否かを示す撮影結果（撮影指示依頼電文に対する応答電文）を携帯端末２０へ送信する。
【００６３】
撮影結果を受信すると、携帯端末２０は、撮影結果確認処理を行う（ステップＳ１３０４）。すなわち、携帯端末２０は、出品番号を含む撮影結果確認依頼電文をＴＣＰで撮影ＰＣ２１へ送信する。撮影結果確認依頼電文を受信した撮影ＰＣ２１は、出品番号をキーとして、関連付けられた第１画像及び第２画像をデータベース２３から取得し、取得した第１画像及び第２画像をＴＣＰで携帯端末２０へ送信する。
【００６４】
第１画像及び第２画像を含む応答電文を受信すると、携帯端末２０は、携帯端末２０のモニタに第１画像と第２画像を表示させる。これにより、使用者は、撮影された画像を確認することができる。
【００６５】
ここで、撮影結果確認依頼電文及び撮影結果確認依頼電文に対する応答電文について図１５を用いて説明する。撮影結果確認依頼電文は、電文種別、電文長、出品番号の項目から構成されている。出品番号は、撮影結果を確認したい車輌の出品番号が示される。また、撮影結果確認依頼電文に対する応答電文は、電文種別、電文長、結果コード、第１画像データ数、第１画像ファイルサイズ、第１画像実データ、第２画像データ数、第２画像ファイルサイズ、第２画像実データの項目から構成されている。この応答電文は、撮影結果確認依頼電文の出品番号“１００１”の車輌に関する第１画像と第２画像を送信するものである。
【００６６】
撮影結果確認依頼電文に対する応答電文には、第１画像については、第１画像“１”に関する情報（Ｎｏ．５及びＮｏ．６に示される情報）のみが含まれているが、実際には、残り３つの第１画像“２”〜“４”に関する情報（Ｎｏ．５及びＮｏ．６に示される情報）も含まれている。また、第２画像については、第２画像“１”に関する情報（Ｎｏ．８及びＮｏ．９に示される情報）のみが含まれているが、実際には、残り３つの第２画像“２”〜“４”に関する情報（Ｎｏ．８及びＮｏ．９に示される情報）も含まれている。
【００６７】
なお、上述した一連の撮影処理とは非同期に、トリミング処理が行われる。すなわち、撮影ＰＣ２１は、トリミング指示に基づいて、トリミングアプリケーションを起動し、トリミングする第１画像と第２画像をデータベース２３から取得し、トリミングを行い、データベース２３（又は撮影ＰＣ２１の内部メモリ）の正規フォルダに保存する。
【００６８】
ここで、トリミング処理の具体的な内容について図１６を用いて説明する。撮影ＰＣ２１は、トリミング処理を行う者からのトリミング指示に基づいて、トリミングアプリケーションを起動する（ステップＳ１６０１）。トリミングアプリケーションのプログラムは、例えば撮影ＰＣ２１のハードディスクなどに格納されている。
【００６９】
撮影ＰＣ２１は、トリミング対象の画像に対応する出品番号の入力を受け付け、出品番号に基づいて、データベース２３に格納された撮影済みの画像（撮影結果画像）を取得する（ステップＳ１６０２）。撮影ＰＣ２１は、取得した画像を、トリミング調整を行うためのトリミング画面に表示させる（ステップＳ１６０３）。
【００７０】
トリミング画面の一例を図１７に示す。この画面例では、トリミング対象の画像が表示されるとともに、第１画像“１”トリミング対象外及び第１画像“２”トリミング対象外が表示される。第１画像“１”トリミング対象外及び第１画像“２”トリミング対象外に表示される画像は、該当する車輌の内装画像などである。また、この画面例では、トリミング対象外の画像として、第１画像“１”及び第１画像“２”の２つのみが表示されているが、図５に示す第１画像“１”〜“４”のすべてを表示するようにしてもよい。また、この画面例では、トリミング調整が終了した後に登録を行うための“登録”ボタンが表示されており、トリミング調整が終了したとトリミング処理を行う者によって判断された場合に、その者によって押下されるものである。
【００７１】
撮影ＰＣ２１は、トリミング画面の画像に対して、トリミングを行うトリミング領域を受け付ける（ステップＳ１６０４）。撮影ＰＣ２１は、受け付けたトリミング領域に基づいて、トリミング調整を行う（ステップＳ１６０５）。撮影ＰＣ２１は、トリミング対象の画像のすべてについてトリミングが終了したか否かを判断し（ステップＳ１６０６）、終了した場合（ステップＳ１６０６のＹｅｓ）には、トリミング調整済みの画像をデータベース２３に格納（登録）し（ステップＳ１６０７）、終了していない場合（ステップＳ１６０６のＮｏ）には、ステップＳ１６０４に戻る。
【００７２】
なお、図１７に示す例では、トリミング対象の画像は２枚であるが、第２画像として撮影されてデータベース２３に格納された画像枚数が、例えば４枚の場合、トリミング対象の画像は４枚となる。また、トリミング処理は撮影ＰＣ２１で行わず、他のＰＣなどで行うようにしてもよい。
【００７３】
上述したような車輌撮影システムによれば、配置する人員を最小限に抑えることで運営コストを削減でき、撮影業務を効率よく行うことができ、画像の登録を正確に行うことができる。
【００７４】
なお、上述した実施の形態における携帯端末、撮影ＰＣ、ウェブカメラのそれぞれの主な処理は、不図示のＣＰＵによるソフトウェア処理によって実行されてもよく、処理の全部又は一部をハードウェアによって実現するようにしてもよい。
【００７５】
また、上述した実施の形態は、上述したものに限定されるものではなく、実施の形態の要旨を逸脱しない範囲において種々の変更を加えることができる。
【符号の説明】
【００７６】
１  中古車オークションシステム
２  車輌撮影システム
１０  出品店表示装置
１１  せり調整人操作端末
１２（１２ａ、１２ｂ）  購買店座席端末
１３  せりサーバ
２０  携帯端末
２１  撮影ＰＣ
２２  ウェブカメラ
２３  データベース
２４  無線ＬＡＮアクセスポイント
２５  ハブ
【図３】
2017058956.tif 000003
【図４】
2017058956.tif 000004
【図５】
2017058956.tif 000005
【図６】
2017058956.tif 000006
【図７】
2017058956.tif 000007
【図８】
2017058956.tif 000008
【図９】
2017058956.tif 000009
【図１０】
2017058956.tif 000010
【図１１】
2017058956.tif 000011
【図１２】
2017058956.tif 000012
【図１３】
2017058956.tif 000013
【図１４】
2017058956.tif 000014
【図１５】
2017058956.tif 000015
【図１６】
2017058956.tif 000016
【図１】
2017058956.tif 000017
【図２】
2017058956.tif 000018
【図１７】
2017058956.tif 000019